(57)【要約】【課題】風量を同じとしたままでも温度の異なる吹き出し空気を形成することが可能な室内機及び空気調和機を提供する。【解決手段】室内機は、第１熱交換器と、第２熱交換器と、第１、第２熱交換器における冷媒温度を異ならせる冷媒交換能力変更装置とが配管で接続された冷媒回路と、第１、第２熱交換器に空気を送風するファンとを備え、これらを備える筐体の吹出口が、ファンと第１、第２熱交換器とを通過した空気が吹き出される第１、第２吹出口を有する。冷媒交換能力変更装置により第１、第２熱交換器における冷媒流量を異ならせて第１、第２吹出口から互いに異なる温度の空気を吹き出す二温度吹き出し運転が行われ、冷媒回路は、第１、第２熱交換器とが並列に接続されて並列回路を構成しており、並列回路の一端に切替装置が接続された構成を有し、切替装置は、冷媒を第１、第２熱交換器とに振り分ける流量調整弁であるものである。【選択図】図４
2020186908.tif 000002
【特許請求の範囲】
【請求項１】
吸込口及び吹出口を有する筐体と、
前記筐体内に設置され、第１熱交換器と、第２熱交換器と、前記第１熱交換器及び前記第２熱交換器における冷媒温度を異ならせる冷媒交換能力変更装置とが配管で接続された冷媒回路と、
前記筐体内に設置され、前記第１熱交換器及び前記第２熱交換器に空気を送風するファンとを備え、
前記吹出口が、前記ファンと前記第１熱交換器とを通過した空気が吹き出される第１吹出口と、前記ファンと前記第２熱交換器とを通過した空気が吹き出される第２吹出口とを有する室内機であって、
前記冷媒交換能力変更装置は少なくとも前記冷媒回路における冷媒の流れを切り替える切替装置を有し、前記冷媒交換能力変更装置により前記第１熱交換器及び前記第２熱交換器における冷媒流量を異ならせて前記第１吹出口と前記第２吹出口とから互いに異なる温度の空気を吹き出す二温度吹き出し運転が行われ、
前記冷媒回路は、前記第１熱交換器と前記第２熱交換器とが並列に接続されて並列回路を構成しており、前記並列回路の一端に前記切替装置が接続された構成を有し、
前記切替装置は、冷媒を前記第１熱交換器と前記第２熱交換器とに振り分ける流量調整弁である室内機。
【請求項２】
前記流量調整弁を制御して前記第１熱交換器と前記第２熱交換器とに振り分ける冷媒の流量を互いに異ならせて前記二温度吹き出し運転を行う制御装置を備えた請求項１記載の室内機。
【請求項３】
前記ファンは、前記第１熱交換器に空気を送風する第１ファンと、前記第２熱交換器に空気を送風する第２ファンとを有し、
前記第１吹出口は前記第１ファンと前記第１熱交換器とを通過した空気が吹き出され、前記第２吹出口は前記第２ファンと前記第２熱交換器とを通過した空気が吹き出される請求項１又は請求項２記載の室内機。
【請求項４】
前記二温度吹き出し運転において、前記第１ファン及び前記第２ファンの回転数を同じとする請求項３記載の室内機。
【請求項５】
前記第１吹出口及び前記第２吹出口が左右に並べられた構成を有する請求項１〜請求項４の何れか一項に記載の室内機。
【請求項６】
請求項１〜請求項５の何れか一項に記載の室内機と、室外機とを備えた空気調和機。
【発明の詳細な説明】
【技術分野】
【０００１】
本発明は、室内機及び空気調和機に関する。
【背景技術】
【０００２】
従来より、室内空気を内部に吸い込む吸込口と、空調空気を室内に供給するための吹出口とが形成された筐体を有し、筐体内に室内熱交換器と、吸込口から吸い込んだ室内空気を室内熱交換器に送風する複数の室内ファンとを備えた室内機がある（例えば、特許文献１参照）。
【先行技術文献】
【特許文献】
【０００３】
【特許文献１】特開２０１３−１３０３２３号公報
【発明の概要】
【発明が解決しようとする課題】
【０００４】
近年では、室内の各ユーザそれぞれに対して空調温度を個別に制御することが求められている。特許文献１の室内機では、室内ファンが複数設けられている。このため、各室内ファンを個別に制御し、吹出口から風量の異なる気流を吹き出すようにすることで、室内の各ユーザに応じた空調制御が可能である。具体的には例えば、冷房時であれば暑いと感じるユーザには風量を多くして風を当て、寒いと感じるユーザには風量を小さくして風を当てないという吹き分け制御を行うことになる。しかし、このように風量を変更する吹き分け制御では、風が当たらないユーザの快適性が十分ではないという問題があった。
【０００５】
本発明はこのような点を鑑みなされたもので、風量を同じとしたままでも温度の異なる吹き出し空気を形成することが可能な室内機及び空気調和機を提供することを目的とする。
【課題を解決するための手段】
【０００６】
本発明に係る室内機は、吸込口及び吹出口を有する筐体と、筐体内に設置され、第１熱交換器と、第２熱交換器と、第１熱交換器及び第２熱交換器における冷媒温度を異ならせる冷媒交換能力変更装置とが配管で接続された冷媒回路と、筐体内に設置され、第１熱交換器及び第２熱交換器に空気を送風するファンとを備え、吹出口が、ファンと第１熱交換器とを通過した空気が吹き出される第１吹出口と、ファンと第２熱交換器とを通過した空気が吹き出される第２吹出口とを有する室内機であって、冷媒交換能力変更装置は少なくとも冷媒回路における冷媒の流れを切り替える切替装置を有し、冷媒交換能力変更装置により第１熱交換器及び第２熱交換器における冷媒流量を異ならせて第１吹出口と第２吹出口とから互いに異なる温度の空気を吹き出す二温度吹き出し運転が行われ、冷媒回路は、第１熱交換器と第２熱交換器とが並列に接続されて並列回路を構成しており、並列回路の一端に切替装置が接続された構成を有し、切替装置は、冷媒を第１熱交換器と第２熱交換器とに振り分ける流量調整弁であるものである。
【０００７】
本発明に係る空気調和機は、室内機と、室外機とを備えたものである。
【発明の効果】
【０００８】
本発明によれば、第１熱交換器及び第２熱交換器における冷媒温度を異ならせる冷媒交換能力変更装置を冷媒回路に設けたので、風量を同じとしたままでも温度の異なる吹き出し空気を形成することが可能である。
【図面の簡単な説明】
【０００９】
【図１】本発明の実施の形態１に係る空気調和機の室内機の全体の斜視図である。
【図２】図１のＡ−Ａ概略縦断面図である。
【図３】本発明の実施の形態１に係る空気調和機の室内機の分解斜視図である。
【図４】本発明の実施の形態１に係る空気調和機の冷媒回路を示す図である。
【図５】本発明の実施の形態１に係る空気調和機における通常暖房運転時のＰ−ｈ線図である。
【図６】本発明の実施の形態１に係る空気調和機における二凝縮運転時のＰ−ｈ線図である。
【図７】本発明の実施の形態１に係る空気調和機における片方暖房運転時のＰ−ｈ線図である。
【図８】本発明の実施の形態１に係る空気調和機における通常冷房運転時のＰ−ｈ線図である。
【図９】本発明の実施の形態１に係る空気調和機における二蒸発運転時の冷媒の流れを示す図である。
【図１０】本発明の実施の形態１に係る空気調和機における片方冷房運転時のＰ−ｈ線図である。
【図１１】本発明の実施の形態１に係る空気調和機の変形例１の冷媒回路を示す図である。
【図１２】本発明の実施の形態１に係る空気調和機の変形例１における二凝縮運転時のＰ−ｈ線図である。
【図１３】本発明の実施の形態１に係る空気調和機の変形例１における二蒸発運転時の冷媒の流れを示す図である。
【図１４】本発明の実施の形態２に係る空気調和機の冷媒回路を示す図である。
【図１５】本発明の実施の形態２に係る空気調和機における通常暖房運転時の冷媒の流れを示す図である。
【図１６】本発明の実施の形態２に係る空気調和機における通常暖房運転時のＰ−ｈ線図である。
【図１７】本発明の実施の形態２に係る空気調和機における二凝縮運転時の冷媒の流れを示す図である。
【図１８】本発明の実施の形態２に係る空気調和機における二凝縮運転時のＰ−ｈ線図である。
【図１９】冷暖同時運転を用いて好適な室内環境を示す平面図である。
【図２０】本発明の実施の形態２に係る空気調和機における冷暖同時運転時のＰ−ｈ線図である。
【図２１】本発明の実施の形態２に係る空気調和機における片方暖房運転時の冷媒の流れを示す図である。
【図２２】本発明の実施の形態２に係る空気調和機における通常冷房運転時の冷媒の流れを示す図である。
【図２３】本発明の実施の形態２に係る空気調和機における通常冷房運転時のＰ−ｈ線図である。
【図２４】本発明の実施の形態２に係る空気調和機における二蒸発運転時の冷媒の流れを示す図である。
【図２５】本発明の実施の形態２に係る空気調和機における二蒸発運転時のＰ−ｈ線図である。
【図２６】本発明の実施の形態２に係る空気調和機における冷暖同時運転時のＰ−ｈ線図である。
【図２７】本発明の実施の形態２に係る空気調和機における片方冷房運転時の冷媒の流れを示す図である。
【図２８】本発明の実施の形態２に係る空気調和機の変形例１の冷媒回路を示す図である。
【図２９】本発明の実施の形態２に係る空気調和機の変形例２の冷媒回路を示す図である。
【図３０】本発明の実施の形態１、２に係る空気調和機においてラインフローファン（登録商標、以後省略）を用いた変形例１を示す図である。
【図３１】本発明の実施の形態１、２に係る空気調和機においてラインフローファンを用いた変形例２を示す図である。
【発明を実施するための形態】
【００１０】
以下、発明の実施の形態に係る室内機及び空気調和機について図面等を参照しながら説明する。なお、以下に説明する実施の形態によって本発明が限定されるものではない。また、各図において同一の符号を付したものは、同一の又はこれに相当するものであり、これは明細書の全文において共通している。更に、明細書全文に表れている構成要素の形態は、あくまで例示であってこれらの記載に限定されるものではない。また、温度、圧力等の高低については、特に絶対的な値との関係で高低等が定まっているものではなく、システム、装置等における状態、動作等において相対的に定まるものとする。
【００１１】
実施の形態１．
図１は、本発明の実施の形態１に係る空気調和機の室内機の全体の斜視図である。図２は、図１のＡ−Ａ概略縦断面図である。図３は、本発明の実施の形態１に係る空気調和機の室内機の分解斜視図である。なお、以下の説明で用いる「上」「下」「左」「右」「前」「後」は、特に断らない限り、室内機を正面側から見た場合の方向を意味している。
【００１２】
この室内機１００は、冷媒を循環させる冷凍サイクルを利用することで、室内等の空調対象域に空調空気（後述の室内熱交換器で熱交換された空気）を供給するものである。室内機１００の筐体１００ａは、室内壁面に固定される基台１と、基台１の前面に取り付けられた意匠パネル２とを有している。意匠パネル２の上面には、室内空気を内部に吸い込むための吸込口３が形成されている。また、意匠パネル２の下面には、室内へ空気を吹き出す吹出口４が形成されており、吹出口４は意匠パネル２の開閉パネル２１によって運転時に開放、運転停止時に閉塞されるようになっている。
【００１３】
吹出口近傍には、吹出口４から室内に向けて吹き出す空気の吹出方向を調整する風向調整装置が配置されている。風向調整装置は吹き出し空気の上下風向を制御する上下風向板２ａ、２ｂと吹き出し空気の左右風向を制御する左右風向板１ａ、１ｂとを有する。上下風向板２ａ及び左右風向板１ａは吹出口４の右側に配置され、上下風向板２ｂ及び左右風向板１ｂは吹出口４の左側に配置され、吹出口４内の右側と左側とで独立して風向調整を行えるようになっている。
【００１４】
筐体１００ａ内には、左右に隣接して配置された室内熱交換器１０ａ、１０ｂと、各室内熱交換器１０ａ、１０ｂのそれぞれに対応して設けられた室内ファン２０ａ、２０ｂとを備えている。筐体１００ａ内には更に、各室内ファン２０ａ、２０ｂをそれぞれ駆動するファンモータ３０ａ、３０ｂ（３０ｂは図示せず）を備えている。
【００１５】
室内熱交換器１０ａ、１０ｂは、間隔を空けて配置された複数のフィン１１と、複数のフィン１１を貫通し、内部を冷媒が通過する複数の伝熱管１２とを備えたフィンアンドチューブ型熱交換器で構成されている。なお、ここでは室内熱交換器１０ａ、１０ｂが右側方又は左側方から見てＷ字形状をしているが、この形状はあくまでも一例であって、この形状に限られたものではない。
【００１６】
室内ファン２０ａ、２０ｂは、吸込口３の下流側で且つ室内熱交換器１０ａ、１０ｂの上流側に配置されており、例えばプロペラファン又はラインフローファン等で構成されている。
【００１７】
筐体１００ａ内において、吸込口３から吹出口４までの風路は大まかに右側風路５ａと左側風路５ｂとに分けられている。そして、右側風路５ａには室内熱交換器１０ａ及び室内ファン２０ａが配置され、左側風路５ｂには室内熱交換器１０ｂ及び室内ファン２０ｂが配置されている。また、吹出口４は、右側風路５ａに連通する右側吹出口４ａと、左側風路５ｂに連通する左側吹出口４ｂとを有する。そして、各室内ファン２０ａ、２０ｂからの空気が、それぞれ対応の室内熱交換器１０ａ、１０ｂを通過し、各風向調整装置によってそれぞれ独立して風向制御されて、右側吹出口４ａ及び左側吹出口４ｂから室内に供給される構成となっている。なお、右側風路５ａと左側風路５ｂとの間には仕切板が設けられていてもよいし、設けられていなくてもよい。
【００１８】
以上のように構成された室内機１００では、室内熱交換器と室内ファンとの組を左右に２組備えた構成となっている。このため、室内ファン２０ａ、２０ｂの回転数を左右で変えることで、右側吹出口４ａと左側吹出口４ｂとで温度の異なる吹き出し空気を吹き出すことが可能である。また、本実施の形態１では、室内ファン２０ａ、２０ｂの回転数を同じとしたままでも、右側吹出口４ａと左側吹出口４ｂとで温度の異なる吹き出し空気を吹き出すことを可能とした点を特徴とする。以下、これを可能とした冷媒回路構成について説明する。
【００１９】
図４は、本発明の実施の形態１に係る空気調和機の冷媒回路を示す図である。
空気調和機は、室内機１００と室外機２００とを備えている。室内機１００は、上述の室内熱交換器１０ａ、１０ｂと、室内ファン２０ａ、２０ｂとの他、切替装置４０を備えている。そして、室内熱交換器１０ａ、室内熱交換器１０ｂ及び切替装置４０が配管で接続されて室内側冷媒回路が構成されている。更に具体的には、室内熱交換器１０ａと室内熱交換器１０ｂとが並列に接続されて並列回路を構成しており、その並列回路の一端に切替装置４０が接続されて室内側冷媒回路が構成されている。
【００２０】
切替装置４０は、室内側冷媒回路における冷媒の流れを切り替える装置であって、具体的には、室内機１００に流入した冷媒を室内熱交換器１０ａと室内熱交換器１０ｂとに振り分ける流量調整弁で構成されている。以下に詳述するが、実施の形態１では室内熱交換器１０ａと室内熱交換器１０ｂとに流れる冷媒流量を流量調整弁により異ならせることで、室内熱交換器１０ａ、１０ｂにおける熱交換能力を互いに異ならせるようにしている。本発明の冷媒交換能力変更装置は少なくとも室内側冷媒回路における冷媒の流れを切り替える切替装置を有しており、切替装置４０がその切替装置に相当する。
【００２１】
室外機２００は、圧縮機２０１と、四方弁２０２と、室外熱交換器２０３と、室外ファン２０４と、減圧装置２０５とを備えている。そして、圧縮機２０１と、四方弁２０２と、室外熱交換器２０３と、減圧装置２０５とが配管で接続されて室外側冷媒回路が構成されている。
【００２２】
圧縮機２０１は、冷媒を吸入し、その冷媒を圧縮して高温且つ高圧の状態にするものである。圧縮機２０１は、運転容量（周波数）を可変させることが可能なものでも良いし、一定容量のものでもよい。四方弁２０２は、冷房運転と暖房運転とで冷媒の循環方向を切り替えるものである。室外熱交換器２０３はフィンアンドチューブ型熱交換器で構成されている。
【００２３】
減圧装置２０５は、開度調整可能な膨張弁で構成されている。膨張弁としては、ステッピングモータ（図示せず）により絞りの開度を可変に調整することが可能な電子膨張弁で構成するとよい。なお、電子膨張弁以外にも、受圧部にダイアフラムを採用した機械式膨張弁、又は温度式膨張弁としてもよい。また、減圧装置２０５は、膨張弁以外にも、キャピラリーチューブ等、同様な役割を成すものであれば、他の形式のものを用いてもよい。
【００２４】
そして、室外側冷媒回路と室内側冷媒回路とが配管で接続されて冷媒回路が構成されている。
【００２５】
このように構成された冷媒回路には封入されている。冷媒としては、本実施の形態１ではＨＦＣ−Ｒ３２が封入されているが、その他の冷媒でも構わない。例えばＨＦＣ−Ｒ４１０Ａ、ＨＦＯ−１２３４ｙｆ、ＨＦＯ−１２３４ｚｅ、ＣＯ２等、冷凍サイクルに用いられる冷媒であればどんな冷媒を用いても構わない。
【００２６】
空気調和機には更に、空気調和機全体を制御する制御装置３００が設けられている。なお、図４には室外機２００のみに制御装置３００を設けた構成を図示しているが、室内機１００に制御装置３００の機能の一部を持つ室内制御装置を設け、制御装置３００と室内制御装置との間でデータ通信を行うことにより連携処理を行う構成にしてもよい。制御装置３００は、その機能を実現する回路デバイスのようなハードウェアで構成することもできるし、マイコン又はＣＰＵのような演算装置と、その上で実行されるソフトウェアとにより構成することもできる。
【００２７】
制御装置３００は、四方弁２０２の切り替えにより冷房運転と暖房運転とを切り替えて運転を行う。また、制御装置３００は、四方弁２０２を暖房運転側に切り替えた状態において、室内機１００の切替装置４０の切り替えにより、通常暖房運転、二凝縮運転、片方暖房運転に切り替える。また、制御装置３００は、四方弁２０２を冷房運転側に切り替えた状態において、室内機の切替装置４０の切り替えにより、通常冷房運転、二蒸発運転、片方冷房運転に切り替える。二凝縮運転及び二蒸発運転は二温度吹き出し運転に相当する。
【００２８】
本実施の形態１は、上述したように、室内ファン２０ａ、２０ｂの回転数を同じとしたまま、温度の異なる吹き出し空気を吹き出すことを可能とした点を特徴としており、この動作は、二凝縮運転及び二蒸発運転で行われる。以下、これらの運転を含め、空気調和機で行う各運転毎の空気調和機の動作について説明する。
【００２９】
［暖房運転］
以下、（１）通常暖房運転、（２）二凝縮運転、（３）片方運転について順に説明する。なお、暖房運転時は、四方弁２０２を図４の実線で示される状態に切り替えられる。これは、（１）〜（３）の全ての運転において共通である。
【００３０】
（１）通常暖房運転
通常暖房運転は、各室内熱交換器１０ａ、１０ｂにおける凝縮温度が同じで、右側吹出口４ａ及び左側吹出口４ｂのそれぞれにおける温風の吹き出し温度が同じとなる運転である。
【００３１】
図５は、本発明の実施の形態１に係る空気調和機における通常暖房運転時のＰ−ｈ線図である。横軸はエンタルピー［ｋＪ／ｋｇ］、縦軸は圧力［ＭＰａ］を示しており、以下の各Ｐ−ｈ線図においても同様である。図５では、凝縮過程及び蒸発過程を示す線に近接して、その過程にある熱交換器を併せて図示している。すなわち、ドット付きの熱交換器が室内熱交換器１０ａ、１０ｂ、ドット無しの熱交換器が室外熱交換器２０３を示しており、以下の各Ｐ−ｈ線図においても同様である。また、図５において点線は等温線を示しており、暖房運転時の標準温度条件を示している。上側の点線は標準室内温度（例えば２０℃）、下側の点線は標準外気温度（例えば７℃）である。この点線は、以下の暖房運転の各Ｐ−ｈ線図においても同様である。
【００３２】
通常暖房運転では、室内機１００に流入した冷媒が室内熱交換器１０ａと室内熱交換器１０ｂとで均等に分配されるように切替装置４０が切り替えられる。そして、圧縮機２０１から吐出された冷媒（状態Ａ）は、四方弁２０２を通過した後、均等に２つに分割され、各冷媒はそれぞれ、室内熱交換器１０ａ、１０ｂに流入する。各室内熱交換器１０ａ、１０ｂに流入した冷媒は、室内ファン２０ａ、２０ｂからの空気と熱交換して凝縮液化し（状態Ｂ）、切替装置４０で合流する。
【００３３】
切替装置４０で合流した冷媒は、減圧装置２０５にて減圧される（状態Ｃ）。減圧装置２０５にて減圧された冷媒は室外熱交換器２０３に流入し、室外ファン２０４からの空気と熱交換して蒸発した後（状態Ｄ）、四方弁２０２を介して圧縮機２０１に戻り、１サイクルを終了する。以上のサイクルを連続的に繰り返すことにより室内を暖房する。
【００３４】
ここで、室内機１００に流入した冷媒は、切替装置４０により室内熱交換器１０ａと室内熱交換器１０ｂとに均等に分配されるため、それぞれにおける凝縮温度は同じである。このため、室内ファン２０ａ、２０ｂが同一回転数で動作している状態において、右側吹出口４ａ及び左側吹出口４ｂのそれぞれから同じ温度の温風が吹き出される。
【００３５】
（２）二凝縮運転
二凝縮運転は、暖房運転時に、室内熱交換器１０ａと室内熱交換器１０ｂとのそれぞれに振り分ける冷媒流量を異ならせることで、同一風量時に温度の異なる温風を形成する運転である。
【００３６】
図６は、本発明の実施の形態１に係る空気調和機における二凝縮運転時のＰ−ｈ線図である。なお、図６には、切替装置４０によって室内熱交換器１０ａに室内熱交換器１０ｂよりも少なく冷媒が流れるように冷媒を振り分けた場合を示している。図６において△が室内熱交換器１０ａにおける冷媒状態、□が室内熱交換器１０ｂにおける冷媒状態を示している。
【００３７】
二凝縮運転において圧縮機２０１から吐出された冷媒（状態Ａ）は、四方弁２０２を通過した後、室内熱交換器１０ａと室内熱交換器１０ｂとに振り分けられる。そして、各冷媒は、凝縮器として機能する室内熱交換器１０ａ、１０ｂに流入し、室内ファン２０ａ、２０ｂからの空気と熱交換して凝縮し、高圧液冷媒（状態Ｂ１）、高圧二相冷媒（状態Ｂ２）となる。各冷媒は切替装置４０で合流後、減圧装置２０５にて減圧され、低圧二相冷媒となる（状態Ｃ）。低圧二相冷媒は室外熱交換器２０３に流入し、室外ファン２０４からの空気と熱交換して蒸発した後（状態Ｄ）、四方弁２０２を介して圧縮機２０１に戻り、１サイクルを終了する。以上のサイクルを連続的に繰り返すことにより室内を暖房する。
【００３８】
ここで、室内機１００に流入した冷媒は、上述したように室内熱交換器１０ａに室内熱交換器１０ｂよりも少なく振り分けられている。このため、室内熱交換器１０ａにおける熱交換量は室内熱交換器１０ｂよりも少ない。よって、室内ファン２０ａ、２０ｂが同一回転数で動作している状態において、室内熱交換器１０ａを通過後の空気は室内熱交換器１０ｂを通過後の空気よりも温度が低くなる。したがって、右側吹出口４ａから左側吹出口４ｂよりも温度の低い温風が吹き出される。
【００３９】
このように、切替装置４０により室内熱交換器１０ａと室内熱交換器１０ｂとで冷媒流量を異ならせることで、室内熱交換器１０ａと室内熱交換器１０ｂとのそれぞれの熱交換能力を変えることができる。その結果、同一風量時に温度の異なる温風を形成することが可能となる。
【００４０】
なお、ここでは、切替装置４０によって室内熱交換器１０ａに室内熱交換器１０ｂよりも少なく冷媒が流れるように冷媒を振り分けた例を示したが、逆にしてももちろんよい。この場合、左側吹出口４ｂから吹き出される温風が右側吹出口４ａから吹き出される温風よりも温度が低くなる。
【００４１】
（３）片方暖房運転
片方暖房運転は、室内熱交換器１０ａ及び室内熱交換器１０ｂのどちらか一方のみを暖房運転する運転である。片方暖房運転では、室内熱交換器１０ａ及び室内熱交換器１０ｂの一方のみに冷媒が通過するように切替装置４０が切り替えられる。また、冷媒が通過しない室内熱交換器に対応する室内ファンの運転は停止される。
【００４２】
図７は、本発明の実施の形態１に係る空気調和機における片方暖房運転時のＰ−ｈ線図である。なお、図７には、室内熱交換器１０ａのみに冷媒が流れるように切替装置４０が切り替えられた場合を示している。
片方暖房運転において、圧縮機２０１から吐出された冷媒（状態Ａ）は、四方弁２０２を通過した後、室内熱交換器１０ａに流入する。室内熱交換器１０ａに流入した冷媒は、室内ファン２０ａからの空気と熱交換して凝縮液化し（状態Ｂ）、その後、切替装置４０を通過する。切替装置４０を通過した冷媒は、減圧装置２０５にて減圧される（状態Ｃ）。減圧装置２０５にて減圧された冷媒は室外熱交換器２０３に流入し、室外ファン２０４からの空気と熱交換して蒸発した後（状態Ｄ）、四方弁２０２を介して圧縮機２０１に戻り、１サイクルを終了する。以上のサイクルを連続的に繰り返すことにより室内を暖房する。
【００４３】
ここで、冷媒は室内熱交換器１０ａを通過し、室内熱交換器１０ｂは通過しないため、右側吹出口４ａからのみ、温風が吹き出される。
【００４４】
このような片方運転は、近年のＺＥＨ（ネット・ゼロ・エネルギー・ハウス）の住宅において有効である。ＺＥＨとは、住宅の高断熱化と高効率設備により、快適な室内環境と大幅な省エネルギーを同時に実現した上で、太陽光発電等によってエネルギーを創り、年間に消費する正味のエネルギー量が概ねゼロとする住宅である。
【００４５】
近年ではＺＥＨを目指して住宅の高気密化が進んでおり、空調負荷は安定時は１ｋＷ程度かそれ以下となる。従来の空気調和機で能力を低下させる場合には、圧縮機のインバータ制御を利用し、運転周波数を最低周波数にすることで低能力運転を実現している。しかし、下限周波数等の問題もあり、せいぜい定格能力の半分程度までしか能力を落とすことができない。一方で、定格能力を落とすようにすれば、安定時の必要能力に見合った低能力を実現できる。しかし、そうすると、例えば真夏の帰宅時、風呂上がり、極低温時の寝起き等、高能力の運転が求められる際の起動負荷を賄う能力の供給ができなくなる。
【００４６】
本実施の形態１の空気調和機では、２つの室内熱交換器１０ａ、１０ｂを備えており、見方を変えれば、従来、室内機の筐体内で一つとしていた室内熱交換器をいわば２つに分割した構成としている。このため、片方暖房運転を行い、２つの室内熱交換器１０ａ、１０ｂのうちの一方のみに冷媒を流すようにすることで、理論的には圧縮機周波数が最下限の周波数で運転している時に能力を更に半分まで落とすことが可能である。つまり、空調負荷が小さい場合に、その空調負荷に見合った能力まで空気調和機の能力を落とすことが可能となり、消費電力の低減に寄与できる。そして、室内熱交換器１０ａ、１０ｂの両方に冷媒を流すことで、高能力の運転が求められる際の起動負荷を賄う能力もまた、供給することが可能である。この点は、後述の片方冷房運転においても同様である。
【００４７】
［冷房運転］
次に、（１）通常冷房運転、（２）二蒸発運転、（３）片方冷房運転について順に説明する。なお、冷房運転時は、四方弁２０２を図４の点線で示される状態に切り替えられる。これは、（１）〜（３）の全ての運転において共通である。
【００４８】
（１）通常冷房運転
通常冷房運転は、各室内熱交換器１０ａ、１０ｂにおける蒸発温度が同じで、右側吹出口４ａ及び左側吹出口４ｂのそれぞれにおける冷風の吹き出し温度が同じとなる運転である。
【００４９】
図８は、本発明の実施の形態１に係る空気調和機における通常冷房運転時のＰ−ｈ線図である。図８において点線は等温線を示しており、冷房運転時の標準温度条件を示している。上側の点線は標準外気温度（例えば２５℃）、下側の点線は標準室内温度（例えば２７℃）である。この点線は、以下の冷房運転の各Ｐ−ｈ線図においても同様である。
【００５０】
通常冷房運転では、室内機１００に流入した冷媒が室内熱交換器１０ａと室内熱交換器１０ｂとで均等に分配されるように切替装置４０が切り替えられる。そして、圧縮機２０１から吐出された冷媒（状態Ａ）は、四方弁２０２を通過した後、凝縮器として機能する室外熱交換器２０３に流入する。室外熱交換器２０３に流入した冷媒は、室外ファン２０４からの空気と熱交換して凝縮液化する（状態Ｂ）。凝縮液化した冷媒は、減圧装置２０５にて減圧される（状態Ｃ）。減圧装置２０５にて減圧された冷媒は、切替装置４０で均等に２つに分割され、各冷媒はそれぞれ、蒸発器として機能する室内熱交換器１０ａ、１０ｂに流入する。
【００５１】
各室内熱交換器１０ａ、１０ｂに流入した冷媒は、室内ファン２０ａ、２０ｂからの空気と熱交換して蒸発した後（状態Ｄ）、合流する。そして、合流後の冷媒は、四方弁２０２を通過して再び圧縮機２０１に吸入され、１サイクルを終了する。以上のサイクルを連続的に繰り返すことにより室内を冷房する。
【００５２】
ここで、室内機１００に流入した冷媒は、切替装置４０により室内熱交換器１０ａと室内熱交換器１０ｂとに均等に分配されるため、それぞれにおける蒸発温度は同じである。このため、室内ファン２０ａ、２０ｂが同一回転数で動作している状態において、右側吹出口４ａ及び左側吹出口４ｂのそれぞれから同じ温度の冷風が吹き出される。
【００５３】
（２）二蒸発運転
二蒸発運転は、冷房運転時に、室内熱交換器１０ａと室内熱交換器１０ｂとのそれぞれにおける蒸発温度を異ならせることで、同一風量時に温度の異なる冷風を形成する運転である。
【００５４】
図９は、本発明の実施の形態１に係る空気調和機における二蒸発運転時の冷媒の流れを示す図である。なお、図９には、切替装置４０によって室内熱交換器１０ａに室内熱交換器１０ｂよりも少ない冷媒が流れるように冷媒を振り分けた場合を示している。図９において△が室内熱交換器１０ａにおける冷媒状態、□が室内熱交換器１０ｂにおける冷媒状態を示している。
【００５５】
圧縮機２０１から吐出された冷媒（状態Ａ）は、四方弁２０２を通過した後、室外熱交換器２０３に流入し、室外ファン２０４からの空気と熱交換して凝縮する（状態Ｂ）。凝縮した冷媒は、減圧装置２０５にて減圧され、その後、室内熱交換器１０ａと室内熱交換器１０ｂとに切替装置４０ｂで振り分けられて流入する。室内熱交換器１０ａ側に振り分けられた状態Ｃ１の冷媒と、室内熱交換器１０ｂ側に振り分けられた状態Ｃ２の冷媒とは、室内ファン２０ａ、２０ｂからの空気と熱交換して蒸発した後、合流する（状態Ｄ）。合流後の冷媒は、四方弁２０２を介して圧縮機２０１に戻り、１サイクルを終了する。以上のサイクルを連続的に繰り返すことにより室内を冷房する。
【００５６】
ここで、室内機１００に流入した冷媒は、切替装置４０により室内熱交換器１０ａの冷媒流量が室内熱交換器１０ｂよりも少なく振り分けられている。このため、室内熱交換器１０ａにおける熱交換量は室内熱交換器１０ｂよりも少ない。よって、室内熱交換器１０ａを有する右側風路５ａの右側吹出口４ａから吹き出される冷風は、室内熱交換器１０ｂを有する左側風路５ｂの左側吹出口４ｂから吹き出される冷風よりも温度が高くなる。
【００５７】
このように、切替装置４０により室内熱交換器１０ａと室内熱交換器１０ｂとで冷媒流量を異ならせることで、室内熱交換器１０ａと室内熱交換器１０ｂとのそれぞれの熱交換能力を変えることができる。その結果、同一風量時に温度の異なる冷風を形成することが可能となる。
【００５８】
なお、ここでは、切替装置４０によって室内熱交換器１０ａに室内熱交換器１０ｂよりも少なく冷媒が流れるように冷媒を振り分けた例を示したが、逆にしてももちろんよい。この場合、左側吹出口４ｂから吹き出される冷風が右側吹出口４ａから吹き出される温風よりも温度が高くなる。
【００５９】
（３）片方冷房運転
片方冷房運転は、室内熱交換器１０ａ及び室内熱交換器１０ｂのどちらか一方のみを冷房運転する運転である。片方冷房運転では、室内熱交換器１０ａ及び室内熱交換器１０ｂの一方のみに冷媒が流れるように切替装置４０が切り替えられる。また、冷媒が通過しない室内熱交換器に対応する室内ファンの運転は停止される。
【００６０】
図１０は、本発明の実施の形態１に係る空気調和機における片方冷房運転時のＰ−ｈ線図である。ここでは、室内熱交換器１０ａのみに冷媒が流れるように切替装置４０が切り替えられる。
圧縮機２０１から吐出された冷媒（状態Ａ）は、四方弁２０２を通過した後、室外熱交換器２０３に流入する。室内熱交換器１０ａに流入した冷媒は、室内ファン２０ａからの空気と熱交換して凝縮する（状態Ｂ）。凝縮した冷媒は、減圧装置２０５にて減圧され（状態Ｃ）、その後、切替装置４０を通過して室内熱交換器１０ａに流入する。室内熱交換器１０ａに流入した冷媒は、室内ファン２０ａからの空気と熱交換して蒸発した後（状態Ｄ）、四方弁２０２を通過して再び圧縮機２０１に吸入され、１サイクルを終了する。以上のサイクルを連続的に繰り返すことにより室内を冷房する。
【００６１】
ここで、冷媒は室内熱交換器１０ａを通過し、室内熱交換器１０ｂには通過しないため、右側吹出口４ａからのみ冷風が吹き出される。
【００６２】
以上説明したように、本実施の形態１によれば、切替装置４０により室内熱交換器１０ａと室内熱交換器１０ｂとで冷媒流量を異ならせることで、室内熱交換器１０ａと室内熱交換器１０ｂとのそれぞれの熱交換能力を変えることができる。その結果、同一風量時に温度の異なる吹き出し空気を形成することが可能となる。
【００６３】
また、室内側冷媒回路は、室内熱交換器１０ａと室内熱交換器１０ｂとが並列に接続されて並列回路を構成している。そして、並列回路の一端に接続した切替装置４０を流量調整弁としたので、室内機１００に流入した冷媒を室内熱交換器１０ａと室内熱交換器１０ｂとに振り分けることができる。
【００６４】
また、切替装置４０を流量調整弁とし、流量調整弁を制御して室内熱交換器１０ａと室内熱交換器１０ｂとに振り分ける冷媒の流量を互いに異ならせることで、室内熱交換器１０ａと室内熱交換器１０ｂとのそれぞれの熱交換能力を変えることができる。
【００６５】
また、吹出口４が左右に分けられて右側吹出口４ａと左側吹出口４ｂとを構成しているため、室内の各ユーザに対して個別に吹き出し空気を送風することができ、各ユーザの快適性を向上できる。
【００６６】
以下、本実施の形態１の変形例について説明する。
【００６７】
（変形例１）
図１１は、本発明の実施の形態１に係る空気調和機の変形例１の冷媒回路を示す図である。
図４では、切替装置４０が暖房運転の流れで室内熱交換器１０ａ、１０ｂの下流に備えた構成であったが、図１１に示す変形例１では、室内熱交換器１０ａ、１０ｂの上流に備えた構成としている。
【００６８】
変形例１の冷媒回路における冷媒の状態変化を、二凝縮運転及び二蒸発運転のそれぞれについて説明する。通常暖房運転、通常冷房運転及び片方運転については図４に示した冷媒回路と同じである。
【００６９】
図１２は、本発明の実施の形態１に係る空気調和機の変形例１における二凝縮運転時のＰ−ｈ線図である。図１２において△が室内熱交換器１０ａにおける冷媒状態、□が室内熱交換器１０ｂにおける冷媒状態を示している。
【００７０】
二凝縮運転において圧縮機２０１から吐出された冷媒（状態Ａ）は、四方弁２０２を通過した後、切替装置４０によって室内熱交換器１０ａと室内熱交換器１０ｂとに振り分けられる。そして、各冷媒は、凝縮器として機能する室内熱交換器１０ａ、１０ｂに流入し、室内ファン２０ａ、２０ｂからの空気と熱交換して凝縮し、高圧液冷媒（状態Ｂ１）、高圧二相冷媒（状態Ｂ２）となる。各冷媒は合流後、減圧装置２０５にて減圧され、低圧二相冷媒となる（状態Ｃ）。低圧二相冷媒は室外熱交換器２０３に流入し、室外ファン２０４からの空気と熱交換して蒸発した後（状態Ｄ）、四方弁２０２を介して圧縮機２０１に戻り、１サイクルを終了する。以上のサイクルを連続的に繰り返すことにより室内を暖房する。
【００７１】
ここで、室内機１００に流入した冷媒は、上述したように室内熱交換器１０ａに室内熱交換器１０ｂよりも少なく振り分けられている。このため、室内熱交換器１０ａにおける熱交換量は室内熱交換器１０ｂよりも少ない。よって、室内ファン２０ａ、２０ｂが同一回転数で動作している状態において、室内熱交換器１０ａを通過後の空気は室内熱交換器１０ｂを通過後の空気よりも温度が低くなる。したがって、右側吹出口４ａから左側吹出口４ｂよりも温度の低い温風が吹き出される。
【００７２】
このように、切替装置４０により室内熱交換器１０ａと室内熱交換器１０ｂとで冷媒流量を異ならせることで、室内熱交換器１０ａと室内熱交換器１０ｂとのそれぞれの能力を変えることができる。その結果、同一風量時に温度の異なる温風を形成することが可能となる。
【００７３】
なお、ここでは、切替装置４０によって室内熱交換器１０ａに室内熱交換器１０ｂよりも少なく冷媒が流れるように冷媒を振り分けた例を示したが、逆にしてももちろんよい。この場合、左側吹出口４ｂから吹き出される温風が右側吹出口４ａから吹き出される温風よりも温度が低くなる。
【００７４】
図１３は、本発明の実施の形態１に係る空気調和機の変形例１における二蒸発運転時の冷媒の流れを示す図である。なお、図１３には、切替装置４０によって室内熱交換器１０ａに室内熱交換器１０ｂよりも少ない冷媒が流れるように冷媒を振り分けた場合を示している。図１３において△が室内熱交換器１０ａにおける冷媒状態、□が室内熱交換器１０ｂにおける冷媒状態を示している。
【００７５】
圧縮機２０１から吐出された冷媒（状態Ａ）は、四方弁２０２を通過した後、室外熱交換器２０３に流入し、室外ファン２０４からの空気と熱交換して凝縮する（状態Ｂ）。凝縮した冷媒は、減圧装置２０５にて減圧される（状態Ｃ）。減圧された冷媒は、室内熱交換器１０ａと室内熱交換器１０ｂとに振り分けられて流入する。室内熱交換器１０ａと室内熱交換器１０ｂとに振り分けられた冷媒は、室外ファン２０４からの空気と熱交換して蒸発（状態Ｄ１、状態Ｄ２）した後、切替装置４０で合流する。合流後の冷媒は、四方弁２０２を介して圧縮機２０１に戻り、１サイクルを終了する。以上のサイクルを連続的に繰り返すことにより室内を冷房する。
【００７６】
ここで、室内機１００に流入した冷媒は、切替装置４０により室内熱交換器１０ａの冷媒流量が室内熱交換器１０ｂよりも少なく振り分けられている。このため、室内熱交換器１０ａにおける熱交換量は室内熱交換器１０ｂよりも少ない。よって、室内熱交換器１０ａを有する右側風路５ａの右側吹出口４ａから吹き出される冷風は、室内熱交換器１０ｂを有する左側風路５ｂの左側吹出口４ｂから吹き出される冷風よりも温度が高くなる。
【００７７】
このように、切替装置４０により室内熱交換器１０ａと室内熱交換器１０ｂとで冷媒流量を異ならせることで、室内熱交換器１０ａと室内熱交換器１０ｂとのそれぞれの熱交換能力を変えることができる。その結果、同一風量時に温度の異なる冷風を形成することが可能となる。
【００７８】
なお、ここでは、切替装置４０によって室内熱交換器１０ａに室内熱交換器１０ｂよりも少なく冷媒が流れるように冷媒を振り分けた例を示したが、逆にしてももちろんよい。この場合、左側吹出口４ｂから吹き出される冷風が右側吹出口４ａから吹き出される温風よりも温度が高くなる。
【００７９】
実施の形態２．
上記実施の形態１では、同一風量時に温度の異なる吹き出し空気を形成する二温度吹き出し運転として、二凝縮運転及び二蒸発運転を行っている。実施の形態２ではこれらの運転に加えて更に、室内機１００から冷風と温風とを同時に吹き出す冷暖同時運転を可能としたものである。
【００８０】
図１４は、本発明の実施の形態２に係る空気調和機の冷媒回路を示す図である。以下、実施の形態２が実施の形態１と異なる点を中心に説明する。
室内側冷媒回路は、室内熱交換器１０ａと、室内熱交換器１０ｂと、減圧装置５０と、が並列に接続されて並列回路を構成しており、その並列回路の両端に切替装置４０ａ、４０ｂが接続された構成を有している。切替装置４０ａ、４０ｂと減圧装置５０とにより本発明の冷媒交換能力変更装置を構成している。
【００８１】
減圧装置５０は、開度調整可能な膨張弁で構成されている。膨張弁としては、ステッピングモータ（図示せず）により絞りの開度を可変に調整することが可能な電子膨張弁で構成するとよい。なお、電子膨張弁以外にも、受圧部にダイアフラムを採用した機械式膨張弁、又は温度式膨張弁としてもよい。また、減圧装置２０５は、膨張弁以外にも、キャピラリーチューブ等、同様な役割を成すものであれば、他の形式のものを用いてもよい。なお、以下の説明では電子膨張弁を用いているものとする。
【００８２】
切替装置４０ａ、４０ｂは、四方向に流路を切り替え可能な四方切替弁で構成されている。切替装置４０ａ、４０ｂは、室内機１００の室外機２００との接続口１０１ａ、１０１ｂと室内側冷媒回路を構成する各機器との接続を切り替える。
【００８３】
切替装置４０ａは、具体的には、接続口１０１ａを第１〜第３状態に切り替える。第１状態は、室内熱交換器１０ａの一端及び室内熱交換器１０ｂの一端に接続する状態である（図１５、図２２参照）。第２状態は、接続口１０１ａを、室内熱交換器１０ａの一端に接続すると共に、減圧装置５０の一端を室内熱交換器１０ｂの一端に接続する状態である（図１７、図２１参照）。第３状態は、接続口１０１ａを、室内熱交換器１０ｂの一端に接続すると共に、減圧装置５０の一端を室内熱交換器１０ａの一端に接続する状態である。
【００８４】
切替装置４０ｂは、具体的には、接続口１０１ｂを第４〜第６状態に切り替える。第４状態は、室内熱交換器１０ａの他端及び室内熱交換器１０ｂの他端に接続する状態である（図１５、図２２参照）。第５状態は、接続口１０１ｂを、室内熱交換器１０ａの他端に接続すると共に、減圧装置５０の他端を室内熱交換器１０ｂの他端に接続する状態である（図２１、図２４、図２７参照）。第６状態は、接続口１０１ｂを、室内熱交換器１０ｂの他端に接続すると共に、減圧装置５０の他端を室内熱交換器１０ａの他端に接続する第６状態である（図１７参照）。
【００８５】
室内側冷媒回路は、切替装置４０ａ、４０ｂの切り替えにより、並列流路（図１５、図２２参照）、直列流路（図１７、図２４参照）、片方流路（図２１、図２７参照）に切り替えられる。並列流路は、室内熱交換器１０ａ、１０ｂに並列に冷媒が流れる流路である。直列流路は、室内熱交換器１０ａ、１０ｂの一方に冷媒が流れた後、他方に冷媒が流れる流路である。片方流路は、室内熱交換器１０ａ、１０ｂのどちらか一方のみに冷媒が流れる流路である。
【００８６】
以上のように構成された空気調和機において、四方弁２０２の切り替えにより冷房運転と暖房運転とを切り替えて運転を行う。また、制御装置３００は、切替装置４０ａ、４０ｂの切り替えにより、暖房運転時に、通常暖房運転、二凝縮運転、冷暖同時運転、片方暖房運転に切り替える。また、冷房運転時に、通常冷房運転、二凝縮運転、冷暖同時運転、片方冷房運転に切り替える。二凝縮運転、冷暖同時運転（暖房時）、二蒸発運転、冷暖同時運転（冷房時）は二温度吹き出し運転に相当する。
【００８７】
暖房運転時の二温度吹き出し運転は、室内熱交換器１０ａ、１０ｂの両方を凝縮器として機能させる二凝縮運転と、室内熱交換器の１０ａ、１０ｂ一方を凝縮器、他方を蒸発器として機能させる冷暖同時運転とを有し、これらを減圧装置５０の制御で切り変える。また、冷房運転時の二温度吹き出し運転は、室内熱交換器１０ａ、１０ｂの両方を蒸発器として機能させる二蒸発運転と、室内熱交換器１０ａ、１０ｂの一方を凝縮器、他方を蒸発器として機能させる冷暖同時運転とを有し、これらを減圧装置５０の制御で切り変える。減圧装置５０の制御は制御装置３００によって行われる。
【００８８】
以下、各運転毎の空気調和機の動作について説明する。
【００８９】
［暖房運転］
以下、（１）通常暖房運転、（２）二凝縮運転、（３）冷暖同時運転、（４）片方暖房運転について順に説明する。なお、暖房運転時は、四方弁２０２を図１４の実線で示される状態に切り替えられる。これは、（１）〜（４）の全ての運転において共通である。
【００９０】
（１）通常暖房運転
図１５は、本発明の実施の形態２に係る空気調和機における通常暖房運転時の冷媒の流れを示す図である。図１５において矢印は冷媒の流れを示している。図１６は、本発明の実施の形態２に係る空気調和機における通常暖房運転時のＰ−ｈ線図である。図１６におけるＡ〜Ｄは、図１５のＡ〜Ｄに示す各配管位置における冷媒状態を示している。
【００９１】
通常暖房運転では、切替装置４０ａが第１状態、切替装置４０ａが第４状態に切り替えられ、並列流路が構成される。そして、圧縮機２０１から吐出された冷媒（状態Ａ）は、四方弁２０２を通過した後、切替装置４０ａで均等に２つに分割され、各冷媒はそれぞれ、室内熱交換器１０ａ、１０ｂに流入する。各室内熱交換器１０ａ、１０ｂに流入した冷媒は、室内ファン２０ａ、２０ｂからの空気と熱交換して凝縮液化した後（状態Ｂ）、切替装置４０ｂで合流する。そして、切替装置４０ｂを通過した冷媒は、減圧装置２０５にて減圧される（状態Ｃ）。減圧装置２０５で減圧された冷媒は、室外熱交換器２０３で室外ファン２０４からの空気と熱交換して蒸発した後（状態Ｄ）、四方弁２０２を通過して再び圧縮機２０１に吸入され、１サイクルを終了する。以上のサイクルを連続的に繰り返すことにより室内を暖房する。
【００９２】
（２）二凝縮運転
図１７は、本発明の実施の形態２に係る空気調和機における二凝縮運転時の冷媒の流れを示す図である。図１７において矢印は冷媒の流れを示している。図１８は、本発明の実施の形態２に係る空気調和機における二凝縮運転時のＰ−ｈ線図である。図１８におけるＡ〜Ｄは、図１７のＡ〜Ｄに示す各配管位置における冷媒状態を示している。
【００９３】
二凝縮運転では、切替装置４０ａ、４０ｂにより室内側冷媒回路を直列流路にして行われる。直列流路は２通りある。すなわち、一つは、図１７に示すように切替装置４０ａを第２状態に切り替えると共に切替装置４０ｂを第６状態に切り替え、接続口１０１ａから流入した冷媒が室内熱交換器１０ａ、減圧装置５０、室内熱交換器１０ｂの順に通る第１順路である。もう一つは、図２４に示すように切替装置４０ａを第３状態に切り替えると共に切替装置４０ｂを第５状態に切り替え、接続口１０１ａから流入した冷媒が室内熱交換器１０ｂ、減圧装置５０、室内熱交換器１０ａの順に通る第２順路である。ここでは、第１順路に設定された例で、二凝縮運転について説明する。
【００９４】
圧縮機２０１から吐出された冷媒（状態Ａ）は、四方弁２０２を通過した後、切替装置４０ａを通過する。切替装置４０ａを通過した冷媒は、凝縮器として機能する室内熱交換器１０ａに流入し、室内ファン２０ａからの空気と熱交換して凝縮し、高圧二相冷媒（状態Ｂ１）となる。高圧二相冷媒は、切替装置４０ｂを通過後、減圧装置５０で減圧される（状態Ｂ２）。減圧装置５０で減圧された冷媒は、切替装置４０ａを通過後、室内熱交換器１０ｂに流入し、室内ファン２０ｂからの空気と熱交換して更に凝縮する（状態Ｂ３）。ここで、減圧装置５０では、室内熱交換器１０ｂが凝縮器として機能するように、「標準室内温度に対応する圧力Ｐ１」以下とならない範囲で減圧を行う。
【００９５】
そして、室内熱交換器１０ｂで凝縮された冷媒は、切替装置４０ｂを通過後、減圧装置２０５にて減圧される（状態Ｃ）。ここでは、室外熱交換器２０３が蒸発器として機能するように、「標準外気温度に対応する圧力Ｐ２」よりも低い圧力に減圧される。そして、減圧装置２０５で減圧された冷媒は、室外熱交換器２０３で室外ファン２０４からの空気と熱交換して蒸発した後（状態Ｄ）、四方弁２０２を介して圧縮機２０１に戻り、１サイクルを終了する。以上のサイクルを連続的に繰り返すことにより室内を暖房する。
【００９６】
このように室内熱交換器１０ａから流出した冷媒を減圧装置５０で減圧して室内熱交換器１０ｂに流入させるため、下流側の室内熱交換器１０ｂの凝縮温度は、上流側の室内熱交換器１０ａの凝縮温度よりも低くなる。このため、室内ファン２０ａ、２０ｂが同一回転数で動作している状態において、室内熱交換器１０ｂを通過後の空気は室内熱交換器１０ａを通過後の空気よりも温度が低くなる。したがって、左側吹出口４ｂから吹き出される温風は、右側吹出口４ａから吹き出される温風よりも温度が低くなる。つまり、二凝縮運転では、直列流路の室内熱交換器１０ａと室内熱交換器１０ｂとの間に設けた減圧装置５０で減圧することで、室内熱交換器１０ａと室内熱交換器１０ｂとのそれぞれの凝縮温度を変えることができる。その結果、同一風量時に温度の異なる温風を形成することが可能となる。
【００９７】
なお、ここでは、切替装置４０ａ、４０ｂによって室内側冷媒回路が直列流路の第１順路に切り替えられ、冷媒が室内熱交換器１０ａ、減圧装置５０、室内熱交換器１０ｂの順に流れるようにしたが、第２順路に切り替えてももちろんよい。第２順路とした場合、右側吹出口４ａから左側吹出口４ｂよりも温度の低い温風が吹き出されることになる。
【００９８】
（３）冷暖同時運転
上記二凝縮運転では、減圧装置５０にて冷媒圧力を「標準室内温度に対応する圧力Ｐ１」以下とならない範囲で減圧し、室内熱交換器１０ａ、１０ｂの両方を凝縮器として機能させる運転であった。これに対し、冷暖同時運転は、減圧装置５０にて冷媒圧力を「標準室内温度に対応する圧力Ｐ１」よりも減圧し、室内熱交換器１０ａ、１０ｂのうち上流側を凝縮器として機能させ、下流側を蒸発器として機能させる運転である。そして、右側吹出口４ａ及び左側吹出口４ｂの一方から温風を吹き出し、他方から冷風を吹き出すようにする。以下では、室内側冷媒回路が室内熱交換器１０ａ、減圧装置５０、室内熱交換器１０ｂの順に冷媒が流れる第１順路に設定された例で、冷暖同時運転について説明する。
【００９９】
ここで、冷暖同時運転の説明に先立ち、冷暖同時運転を用いて好適な室内環境について次の図１９を参照して説明する。
【０１００】
図１９は、冷暖同時運転を用いて好適な室内環境を示す平面図である。
近年の大型化するリビングルームに対応し、リビングダイニングキッチンでは、１つの空気調和機でキッチン１１０とリビング１２０との両方を空調することが求められる。そして、秋口などの中間期では、リビング１２０では寒さ対策で温風供給が求められ、調理機器の使用等で暑くなるキッチン１１０では冷風供給が求められる。このような室内環境において、室内機１００から見てキッチン１１０とリビング１２０とが左右に位置するように室内機１００を設置して冷暖同時運転を行うことで、キッチン１１０とリビング１２０に温風、冷風の吹き分けを行うことができる。その結果、空間快適性を向上することが可能となる。
【０１０１】
図２０は、本発明の実施の形態２に係る空気調和機における冷暖同時運転時のＰ−ｈ線図である。冷暖同時運転時における冷媒の流れは、図１７に示した二凝縮運転時と同様である。図２０におけるＡ〜Ｄは、図１７のＡ〜Ｄに示す各配管位置における冷媒状態を示している。
【０１０２】
圧縮機２０１から吐出された冷媒（状態Ａ）は、四方弁２０２を通過した後、切替装置４０ａを通過する。切替装置４０ａを通過した冷媒は、凝縮器として機能する室内熱交換器１０ａに流入し、室内ファン２０ａからの空気と熱交換して凝縮し、高圧二相冷媒（状態Ｂ１）となる。高圧二相冷媒は、切替装置４０ｂを通過後、減圧装置５０で減圧される（状態Ｂ２）。減圧装置５０で減圧された冷媒は、切替装置４０ａを通過後、室内熱交換器１０ｂに流入し、室内ファン２０ｂからの空気と熱交換して蒸発する（状態Ｂ３）。ここで、減圧装置５０では、室内熱交換器１０ｂが蒸発器として機能するように、「標準室内温度に対応する圧力Ｐ１」よりも低い圧力に減圧する。
【０１０３】
そして、室内熱交換器１０ｂで蒸発した冷媒は、切替装置４０ｂを通過後、減圧装置２０５にて減圧される（状態Ｃ）。ここでは、室外熱交換器２０３が蒸発器として機能するように、「標準外気温度に対応する圧力Ｐ２」よりも低い圧力に減圧される。そして、減圧装置２０５で減圧された冷媒は、室外熱交換器２０３で室外ファン２０４からの空気と熱交換して蒸発した後（状態Ｄ）、四方弁２０２を介して圧縮機２０１に戻り、１サイクルを終了する。
【０１０４】
このように冷暖同時運転では、室内熱交換器１０ａから流出した冷媒を減圧装置５０で「標準室内温度に対応する圧力Ｐ１」よりも低い圧力に減圧する。このため、上流側の室内熱交換器１０ａは凝縮器として機能し、下流側の室内熱交換器１０ｂは蒸発器として機能する。よって、同一風量時に温度の異なる風を形成することが可能となり、右側吹出口４ａからは温風が吹き出され、左側吹出口４ｂからは冷風が吹き出される。
【０１０５】
なお、ここでは、切替装置４０ａ、４０ｂによって室内側冷媒回路が直列流路の第１順路に切り替えられ、冷媒が室内熱交換器１０ａ、減圧装置５０、室内熱交換器１０ｂの順に流れるようにしたが、第２順路に切り替えてももちろんよい。第２順路とした場合、右側吹出口４ａから冷風が吹き出され、左側吹出口４ｂからは温風が吹き出されることになる。
【０１０６】
また、暖房運転時の冷暖同時運転では、室内熱交換器１０ａ、１０ｂの一方を凝縮器、他方を蒸発器として用いるため、加熱除湿も行える。具体的には、右側吹出口４ａ及び左側吹出口４ｂのそれぞれから吹き出される風を、左右風向板１ａ、１ｂで混合することで、除湿乾燥した温風を形成できる。よって、除湿乾燥した温風を、例えば部屋干しされた衣類に向かって送風することで、衣類乾燥の促進に効果的である。
【０１０７】
（４）片方暖房運転
片方暖房運転では、室内熱交換器１０ａ、１０ｂの一方のみに冷媒が流れる片方流路となるように切替装置４０ａ、４０ｂが切り替えられる。また、冷媒が通過しない室内熱交換器に対応する室内ファンの運転は停止される。
【０１０８】
図２１は、本発明の実施の形態２に係る空気調和機における片方暖房運転時の冷媒の流れを示す図である。図２１において矢印は冷媒の流れを示している。片方暖房運転時のＰ−ｈ線図は、図７に示した実施の形態の片方暖房運転と同様である。図２１の各配管位置Ａ〜Ｄにおける冷媒の状態は、図７のＡ〜Ｄに示すものである。ここでは、室内熱交換器１０ａのみに冷媒が流れるように切替装置４０ａが第２状態、切替装置４０ｂが第５状態に切り替えられる例を示しており、冷媒の流れ及び状態変化は実施の形態１と同様である。また、ここでは、室内熱交換器１０ａに冷媒が流れる例を示したが、切替装置４０ａを第３状態、切替装置４０ｂを第６状態に切り替え、室内熱交換器１０ｂに流れるようにしてももちろんよい。
【０１０９】
［冷房運転］
以下、（１）通常冷房運転、（２）二蒸発運転、（３）冷暖同時運転、（４）片方冷房運転について順に説明する。なお、冷房運転時は、四方弁２０２を図１４の点線で示される状態に切り替えられる。これは、（１）〜（４）の全ての運転において共通である。
【０１１０】
（１）通常冷房運転
図２２は、本発明の実施の形態２に係る空気調和機における通常冷房運転時の冷媒の流れを示す図である。図２２において矢印は冷媒の流れを示している。図２３は、本発明の実施の形態２に係る空気調和機における通常冷房運転時のＰ−ｈ線図である。図２３におけるＡ〜Ｄは、図２２のＡ〜Ｄに示す各配管位置における冷媒状態を示している。
【０１１１】
通常冷房運転では、切替装置４０ａが第１状態、切替装置４０ａが第４状態に切り替えられ、並列流路が構成される。そして、圧縮機２０１から吐出された冷媒（状態Ａ）は、四方弁２０２を通過した後、室外熱交換器２０３に流入する。室外熱交換器２０３に流入した冷媒は、室外ファン２０４からの空気と熱交換して凝縮液化した後（状態Ｂ）、減圧装置２０５にて減圧される。
【０１１２】
減圧装置２０５で減圧された冷媒は、切替装置４０ｂで均等に２つに分割され、各冷媒はそれぞれ、室内熱交換器１０ａ、１０ｂに流入する（状態Ｃ）。各室内熱交換器１０ａ、１０ｂに流入した冷媒は、室内ファン２０ａ、２０ｂからの空気と熱交換して蒸発した後、切替装置４０ａで合流し、四方弁２０２を通過して再び圧縮機２０１に吸入され（状態Ｄ）、１サイクルを終了する。以上のサイクルを連続的に繰り返すことにより室内を冷房する。
【０１１３】
（２）二蒸発運転
図２４は、本発明の実施の形態２に係る空気調和機における二蒸発運転時の冷媒の流れを示す図である。図２５は、本発明の実施の形態２に係る空気調和機における二蒸発運転時のＰ−ｈ線図である。図２５におけるＡ〜Ｄは、図２４のＡ〜Ｄに示す各配管位置における冷媒状態を示している。
【０１１４】
二蒸発運転では、切替装置４０ａ、４０ｂにより室内側冷媒回路を直列流路にして行われる。直列流路は２通りある。すなわち、一つは、図２４に示すように切替装置４０ａを第３状態に切り替えると共に切替装置４０ｂを第５状態に切り替え、接続口１０１ｂから流入した冷媒が室内熱交換器１０ａ、減圧装置５０、室内熱交換器１０ｂの順に通る第１順路である。もう一つは、図１７に示すように切替装置４０ａを第２状態に切り替えると共に切替装置４０ｂを第６状態に切り替え、接続口１０１ｂから流入した冷媒が室内熱交換器１０ｂ、減圧装置５０、室内熱交換器１０ａの順に通る第２順路である。ここでは、第１順路に設定された例で、二蒸発運転について説明する。
【０１１５】
圧縮機２０１から吐出された冷媒（状態Ａ）は、四方弁２０２を通過した後、室外熱交換器２０３に流入し、室外ファン２０４からの空気と熱交換して凝縮液化する（状態Ｂ）。凝縮液化した冷媒は、減圧装置２０５にて減圧される。減圧装置２０５では、室内熱交換器１０ａが蒸発器として機能するように、「標準室内温度に対応する圧力Ｐ１」よりも低い圧力に減圧される。そして、減圧装置２０５で減圧された冷媒は、切替装置４０ｂを通過して、蒸発器として機能する室内熱交換器１０ａに流入する（状態Ｃ１）。
【０１１６】
室内熱交換器１０ａに流入した冷媒は、室内ファン２０ａからの空気と熱交換して蒸発した後、切替装置４０ａを通過して減圧装置５０に流入する（状態Ｃ２）。そして、減圧装置５０に流入した冷媒は減圧装置５０にて更に減圧され、切替装置４０ｂを通過後、蒸発器として機能する室内熱交換器１０ｂに流入する（状態Ｃ３）。室内熱交換器１０ｂに流入した冷媒は、室内ファン２０ｂからの空気と熱交換して蒸発した後（状態Ｄ）、切替装置４０ａを通過する。切替装置４０ａを通過した冷媒は、四方弁２０２を介して圧縮機２０１に戻り、１サイクルを終了する。以上のサイクルを連続的に繰り返すことにより室内を冷房する。
【０１１７】
このように室内熱交換器１０ａから流出した冷媒を減圧装置５０で減圧して室内熱交換器１０ｂに流入させるため、下流側の室内熱交換器１０ｂの蒸発温度は、上流側の室内熱交換器１０ａの蒸発温度よりも低くなる。このため、室内ファン２０ａ、２０ｂが同一回転数で動作している状態において、室内熱交換器１０ｂを通過後の空気は室内熱交換器１０ａを通過後の空気よりも温度が低くなる。したがって、左側吹出口４ｂから吹き出される冷風は、右側吹出口４ａから吹き出される冷風よりも温度が低くなる。つまり、二蒸発運転では、直列流路の室内熱交換器１０ａと室内熱交換器１０ｂとの間に設けた減圧装置５０で減圧することで、室内熱交換器１０ａと室内熱交換器１０ｂとのそれぞれの蒸発温度を変えることができる。その結果、同一風量時に温度の異なる冷風を形成することが可能となる。
【０１１８】
なお、ここでは、切替装置４０ａ、４０ｂによって室内側冷媒回路が直列流路の第１順路に切り替えられ、冷媒が室内熱交換器１０ａ、減圧装置５０、室内熱交換器１０ｂの順に流れるようにしたが、第２順路に切り替えてももちろんよい。第２順路とした場合、右側吹出口４ａから左側吹出口４ｂよりも温度の低い冷風が吹き出されることになる。
【０１１９】
（３）冷暖同時運転
上記二蒸発運転では、減圧装置２０５にて冷媒圧力を「標準室内温度に対応する圧力Ｐ１」よりも低い圧力に減圧し、室内熱交換器１０ａ、１０ｂの両方を蒸発器として機能させる運転であった。これに対し、冷暖同時運転は、減圧装置２０５にて冷媒圧力を「標準室内温度に対応する圧力Ｐ１」以下とならない範囲で減圧する。これにより、室内熱交換器１０ａ、１０ｂのうち上流側を凝縮器として機能させる。また、減圧装置５０にて冷媒圧力を「標準室内温度に対応する圧力Ｐ１」よりも低く減圧する。これにより、室内熱交換器１０ａ、１０ｂのうち下流側を蒸発器として機能させる。そして、上流側の室内熱交換器に対応する吹出口から温風を吹き出し、下流の室内熱交換器に対応する吹出口から冷風を吹き出すようにする。以下では、室内側冷媒回路が室内熱交換器１０ａ、減圧装置５０、室内熱交換器１０ｂの順に冷媒が流れる第１順路に設定された例で、冷暖同時運転について説明する。
【０１２０】
図２６は、本発明の実施の形態２に係る空気調和機における冷暖同時運転時のＰ−ｈ線図である。冷暖同時運転時における冷媒の流れは、図２４と同様である。図２６におけるＡ〜Ｄは、図２４のＡ〜Ｄに示す各配管位置における冷媒状態を示している。
【０１２１】
圧縮機２０１から吐出された冷媒（状態Ａ）は、四方弁２０２を通過した後、室外熱交換器２０３に流入し、室外ファン２０４からの空気と熱交換して凝縮する（状態Ｂ）。凝縮した冷媒は、減圧装置２０５にて減圧される。減圧装置２０５で減圧された冷媒は、切替装置４０ｂを通過して室内熱交換器１０ａに流入する（状態Ｃ１）。減圧装置２０５では、室内熱交換器１０ａが凝縮器として機能するように、「標準室内温度に対応する圧力Ｐ１」以下とならない範囲内で冷媒圧力を減圧する。
【０１２２】
そして、室内熱交換器１０ａに流入した冷媒は、室内ファン２０ａからの空気と熱交換して凝縮した後、切替装置４０ａを通過して減圧装置５０に流入する（状態Ｃ２）。減圧装置５０に流入した冷媒は減圧され、切替装置４０ｂを通過後、室内熱交換器１０ｂに流入する（状態Ｃ３）。減圧装置５０では、室内熱交換器１０ｂが蒸発器として機能するように、「標準室内温度に対応する圧力Ｐ１」よりも低い圧力に減圧する。
【０１２３】
そして、室内熱交換器１０ｂに流入した冷媒は、室内ファン２０ｂからの空気と熱交換して蒸発した後（状態Ｄ）、切替装置４０ａを通過する。切替装置４０ａを通過した冷媒は、四方弁２０２を介して圧縮機２０１に戻り、１サイクルを終了する。
【０１２４】
このように冷暖同時運転では、室内熱交換器１０ａから流出した冷媒を減圧装置５０で「標準室内温度に対応する圧力Ｐ１」よりも低い圧力に減圧して室内熱交換器１０ｂに流入させる。このため、上流側の室内熱交換器１０ａは凝縮器として機能し、下流側の室内熱交換器１０ｂは蒸発器として機能する。よって、同一風量時に温度の異なる風を形成することが可能となり、右側吹出口４ａからは温風が吹き出され、左側吹出口４ｂからは冷風が吹き出される。
【０１２５】
なお、ここでは、切替装置４０ａ、４０ｂによって室内側冷媒回路が直列流路の第１順路に切り替えられ、冷媒が室内熱交換器１０ａ、減圧装置５０、室内熱交換器１０ｂの順に流れるようにしたが、第２順路に切り替えてももちろんよい。第２順路とした場合、右側吹出口４ａから冷風が吹き出され、左側吹出口４ｂからは温風が吹き出されることになる。
【０１２６】
また、冷房運転時の冷暖同時運転では、一方を凝縮器、他方を蒸発器として用いるため、再熱除湿も行える。具体的には、右側吹出口４ａ及び左側吹出口４ｂのそれぞれから吹き出される風を、左右風向板１ａ、１ｂで混合することで、除湿乾燥した冷風を形成できる。よって、除湿乾燥した冷風を室内に供給することで、室内の除湿を行うことができる。
【０１２７】
（４）片方冷房運転
片方冷房運転では、室内熱交換器１０ａ、１０ｂの一方のみに冷媒が流れる片方流路となるように切替装置４０ａ、４０ｂが切り替えられる。また、冷媒が通過しない室内熱交換器に対応する室内ファンの運転は停止される。
【０１２８】
図２７は、本発明の実施の形態２に係る空気調和機における片方冷房運転時の冷媒の流れを示す図である。図２７において矢印は冷媒の流れを示している。片方冷房運転時のＰ−ｈ線図は、図１０に示した実施の形態１と同様である。図２７の各配管位置Ａ〜Ｄにおける冷媒の状態は、図１０のＡ〜Ｄに示すものである。ここでは、室内熱交換器１０ａのみに冷媒が流れるように切替装置４０ａが第２状態、切替装置４０ｂが第５状態に切り替えられる例を示しており、冷媒の流れ及び状態変化は実施の形態１と同様である。また、ここでは、室内熱交換器１０ａに冷媒が流れる例を示したが、切替装置４０ａを第３状態、切替装置４０ｂを第６状態に切り替え、室内熱交換器１０ｂに流れるようにしてももちろんよい。
【０１２９】
以上説明したように、本実施の形態２では、実施の形態１と同様の効果が得られると共に、更に、冷暖同時運転が可能となり、右側吹出口４ａ及び左側吹出口４ｂの一方から温風、他方から冷風を吹き出すことが可能である。
【０１３０】
また、本実施の形態２では、冷媒交換能力変更装置として切替装置４０ａ、４０ｂと減圧装置５０とを備え、切替装置４０ａ、４０ｂとして四方向に流路を切り替え可能な四方切替弁を用いた。そして、室内側冷媒回路を、室内熱交換器１０ａと減圧装置５０と室内熱交換器１０ｂとが並列に接続され、その並列回路の両端の合流部分に四方切替弁で構成された切替装置４０ａと切替装置４０ｂとを分けて接続した構成とした。そして、切替装置４０ａは、上記第１状態〜第３状態に切り替えられ、また、切替装置４０ｂは、上記第４状態〜第６状態に切り替えられる構成とした。
【０１３１】
よって、室内側冷媒回路を並列流路、直列流路、片方流路に切り替えることができ、暖房運転時に、通常暖房運転、二凝縮運転、冷暖同時運転、片方暖房運転に切り替えることができる。また、冷房運転時に、通常冷房運転、二蒸発運転、冷暖同時運転、片方冷房運転に切り替えることができる。
【０１３２】
直列流路は、具体的には、切替装置４０ａを第２状態且つ切替装置４０ｂを第６状態に切り替えるか、又は切替装置４０ａを第３状態且つ切替装置４０ｂを第５状態に切り替えることで構成できる。そして、制御装置３００により減圧装置５０を制御して二温度吹き出し運転を行うことができる。
【０１３３】
また、減圧装置５０における減圧量に応じて、室内熱交換器１０ａ、１０ｂの両方を凝縮器又は蒸発器として機能させる二凝縮運転又は二蒸発運転と、室内熱交換器１０ａ、１０ｂの一方を凝縮器、他方を蒸発器として機能させる冷暖同時運転とを行うことができる。
【０１３４】
なお、上記実施の形態１、２では、減圧装置５０としてここでは開度調整可能な電子膨張弁を用いている。このため、暖房運転の例で説明すると、二凝縮運転と冷暖同時運転との両方が可能となっている。しかし、二凝縮運転又は冷暖同時運転のどちらか一方の運転でよければ、減圧量が固定の減圧装置を用いてもよい。
【０１３５】
本実施の形態２の空気調和機は、室内側冷媒回路が、室内熱交換器１０ａ、１０ｂ、減圧装置５０、切替装置４０ａ、４０ｂを備えた構成であるが、以下の変形例１、２のようにしてもよい。変形例１、２は、回路接続構成を変更すると共に、切替装置４０ａ、４０ｂを四方切替弁から三方弁に代えたものであり、以下、順に説明する。
【０１３６】
（変形例１）
図２８は、本発明の実施の形態２に係る空気調和機の変形例１の冷媒回路を示す図である。
この変形例１では、室内側冷媒回路において、室内熱交換器１０ａと冷媒配管６０ａとを並列に接続した並列回路と、室内熱交換器１０ｂと冷媒配管６０ｂとを並列に接続した並列回路とを減圧装置５０を介して直列接続されている。そして、各並列回路それぞれにおいて減圧装置５０とは反対側の合流部分に切替装置４０ａ、４０ｂを設けた構成を有する。切替装置４０ａ、４０ｂは、三方弁で構成されている。切替装置４０ａは接続口１０１ａを室内熱交換器１０ａ又は冷媒配管６０ａに接続する。切替装置４０ｂは接続口１０１ｂを室内熱交換器１０ｂ又は冷媒配管６０ｂに接続する。切替装置４０ａ、４０ｂと減圧装置５０とにより本発明の冷媒交換能力変更装置を構成している。
【０１３７】
室内側冷媒回路では、切替装置４０ａを室内熱交換器１０ａ側、切替装置４０ｂを室内熱交換器１０ａ側に切り替えることで室内熱交換器１０ａ、１０ｂの両方に順に冷媒が流れる直列流路が構成される。また、切替装置４０ａを室内熱交換器１０ａ側、切替装置４０ｂを冷媒配管６０ｂ側に切り替えることで室内熱交換器１０ａのみに冷媒が流れる片方流路が構成される。また、切替装置４０ａを冷媒配管６０ａ側、切替装置４０ｂを室内熱交換器１０ｂ側に切り替えることで室内熱交換器１０ｂのみに冷媒が流れる片方流路が構成される。
【０１３８】
このように構成された変形例１の空気調和機は、図１４に示した実施の形態２の空気調和機と基本的に同様の運転が可能である。すなわち、四方弁２０２を図１４の実線側に切り替えた状態で、通常暖房運転、二凝縮運転、冷暖同時運転、片方暖房運転が可能であり、四方弁２０２を図１４の点線側に切り替えた状態で、通常冷房運転、二蒸発運転、冷暖同時運転、片方冷房運転が可能である。
【０１３９】
なお、変形例１の空気調和機が実施の形態２の空気調和機と運転に関して異なる点は以下の通りである。すなわち、実施の形態２の空気調和機では、冷媒の流れを２つに分割して室内熱交換器１０ａ、１０ｂに並列に流す並列流路にして通常暖房運転及び通常冷房運転を行っていた。しかし、この変形例１では並列流路は実現できない。このため、この変形例１で通常暖房運転及び通常冷房運転を行う場合は、冷媒流路を室内熱交換器１０ａ、１０ｂに順に冷媒を流す直列流路にして行うことになる。
【０１４０】
また、図１４に示した実施の形態２の空気調和機では、切替装置４０ａ、４０ｂにより冷媒の流れ順を室内熱交換器１０ａから室内熱交換器１０ｂの順と、その逆順とに切り替えることができる。つまり、上流と下流とを入れ替えることができる。このため、例えば冷暖混在運転で説明すると、室内熱交換器１０ａを凝縮器、室内熱交換器１０ｂを蒸発器とすることもできるし、室内熱交換器１０ａを蒸発器、室内熱交換器１０ｂを凝縮器とすることもできる。
【０１４１】
しかし、図２８に示した変形例１の空気調和機では、上流と下流を入れ替えることはできない。このため、例えば、四方弁２０２を図２８の実線側に切り替えた暖房運転時の冷暖同時運転で説明すると、冷媒の流れは、室内熱交換器１０ａから室内熱交換器１０ｂの順のみとなる。よって、暖房運転時の冷暖同時運転では、必ず室内熱交換器１０ａから温風、室内熱交換器１０ｂから冷風が吹き出されることになる。
【０１４２】
また、切替装置４０ａ、４０ｂの切り替えにより室内熱交換器１０ａ、１０ｂの何れか一方に選択的に冷媒を流す片方流路を構成できるため、片方暖房運転及び片方冷房運転については、上記実施の形態１、２と同様に行える。
【０１４３】
（変形例２）
図２９は、本発明の実施の形態２に係る空気調和機の変形例２の冷媒回路を示す図である。
この変形例２は、変形例１において切替装置４０ａ、４０ｂの配置位置を変えたものである。変形例１では、各並列回路それぞれにおいて減圧装置５０とは反対側の合流部分に切替装置４０ａ、４０ｂを設けていたが、変形例２では、減圧装置５０側の合流部分に設けた構成としたものである。切替装置４０ａ、４０ｂを三方弁で構成する点は変形例１と同じである。切替装置４０ａは減圧装置５０を室内熱交換器１０ａ又は冷媒配管６０ａに接続する。切替装置４０ｂは減圧装置５０を室内熱交換器１０ｂ又は冷媒配管６０ｂに接続する。その他の構成は変形例１と同様である。
【０１４４】
このように変形例２の構成としても、上記変形例１と同様の効果を得ることができる。
【０１４５】
なお、変形例１、２では、各並列回路それぞれにおいて減圧装置５０とは反対側の合流部分又は減圧装置５０側の合流部分に切替装置４０ａ、４０ｂを分けて接続した構成としたが、これに限定されない。すなわち、各並列回路それぞれの合流部分に切替装置４０ａと切替装置４０ｂとを分けて接続した構成とすればよく、切替装置４０ａが減圧装置５０とは反対側の合流部分、切替装置４０ｂが減圧装置５０側の合流部分に接続した構成としてもよい。
【０１４６】
また、本発明の室内機は、上記の構造に限定されるものではなく、本発明の要旨を逸脱しない範囲で例えば以下のように種々変形実施可能である。例えば、上記実施の形態１、２では、室内ファンとしてプロペラファンを用い、またプロペラファンの台数を複数台とした例を示したが、次の図３０に示す構成としてもよい。
【０１４７】
（ラインフローファンを用いた変形例１）
図３０は、本発明の実施の形態１、２に係る空気調和機においてラインフローファンを用いた変形例１を示す図である。
この変形例１では、筐体１００ｂ内に空気を送風する室内ファンとしてラインフローファン２０ｃを用いている。そして、上記実施の形態では、室内ファンを２つの室内熱交換器のそれぞれに対応して設けていたが、ここでは共通に一台設けた構成としている。また、筐体１００ｂ内において室内熱交換器１０ｃ、１０ｄ（１０ｄは図示せず）が左右に配置されている。上記実施の形態では室内熱交換器が右側方又は左側方から見てＷ字形状をしていたが、この変形例では逆Ｖ字形状をしている。そして、上下風向板２ｃ及び上下風向板２ｄで風路を上下に分け、更に図示しない左右風向板が設けられ、左右に吹き分けることが可能となっている。
【０１４８】
このように構成された空気調和機において、吸込口３ｂから吸い込まれた空気は、室内熱交換器１０ｃ、１０ｄ（図示せず）及びラインフローファン２０ｃを通過した後、上下風向板２ｃ、２ｄ及び左右風向板（図示せず）によって風向が制御されて吹出口４から室内に吹き出される。このようにラインフローファン２０ｃが一台の場合でも、上記実施の形態１、２の二凝縮運転又は二蒸発運転を行うことで、温度の異なる空気を左右に吹き分けることができる。
【０１４９】
（ラインフローファンを用いた変形例２）
図３１は、本発明の実施の形態１、２に係る空気調和機においてラインフローファンを用いた変形例２を示す図である。
上記図３０に示した変形例１では、室内熱交換器が左右に配置された構成であったが、図３１に示した変形例２では、前後に配置された構成を有している。すなわち、筐体１００ｂ内の前方側に室内熱交換器１０ｅが配置され、後方側に室内熱交換器１０ｆが配置されている。なお、ラインフローファン２０ｃを２つの室内熱交換器１０ｅ、１０ｆに共通に一台設けた点は変形例１と同様である。
【０１５０】
図３１中に実線で示した矢印はラインフローファン２０ｃの回転方向を示している。また、図３１中に点線で示した矢印Ａ、Ｂは、吸込口３ｂから吸込まれた空気が室内熱交換器１０ｅ及びラインフローファン２０ｃを通過後、吹出口４から吹出されるまでの流れを示している。図３１中に点線で示した矢印Ｃは、吸込口３ｂから吸込まれた空気が室内熱交換器１０ｆ及びラインフローファン２０ｃを通過後、吹出口４から吹き出されるまでの流れを示している。
【０１５１】
この構成において、室内熱交換器１０ｆに室内熱交換器１０ｅよりも多く冷媒が振り分けられると、室内熱交換器１０ｆの熱交換能力が室内熱交換器１０ｅよりも高くなる。よって、二凝縮運転の場合、ラインフローファン２０ｃが一台の場合でも、室内熱交換器１０ｆを通過後の空気の流れＣは室内熱交換器１０ｅを通過後の空気の流れＡ、Ｂよりも温度が高くなる。このようにして形成された温度の異なる空気を上下風向板２ｃ及び上下風向板２ｄで風路を分けると共に、更に図示しない左右風向板で左右に風向制御することで、温度の高い空気の流れＣと、温度の低い空気の流れＡ及びＢと、を左右に吹き分けることができる。
【０１５２】
なお、室内熱交換器１０ｆに室内熱交換器１０ｅよりも多くの冷媒が流れるように冷媒を振り分けた例を示したが、逆にしてもよいし、空気の流れＢ及びＣが空気の流れＡよりも温度が高くなるように室内熱交換器１０ｆ及び室内熱交換器１０ｅを構成してもよい。また、ここでは二凝縮運転の場合について説明したが、図３１の構成で二蒸発運転を行ってももちろん良い。
【符号の説明】
【０１５３】
１  基台、１ａ  左右風向板、１ｂ  左右風向板、２  意匠パネル、２ａ  上下風向板、２ｂ  上下風向板、２ｃ  上下風向板、２ｄ  上下風向板、３  吸込口、４  吹出口、４ａ  右側吹出口（第１吹出口）、４ｂ  左側吹出口（第２吹出口）、５ａ  右側風路、５ｂ  左側風路、１０ａ  室内熱交換器（第１熱交換器）、１０ｂ  室内熱交換器（第２熱交換器）、１０ｃ  室内熱交換器（第１熱交換器）、１０ｄ  室内熱交換器（第２熱交換器）、１０ｅ  室内熱交換器（第１熱交換器）、１０ｆ  室内熱交換器（第２熱交換器）、１１  フィン、１２  伝熱管、２０ａ  室内ファン（第１ファン）、２０ｂ  室内ファン（第２ファン）、２０ｃ  ラインフローファン（ファン）、３０ａ  ファンモータ、３０ｂ  ファンモータ、４０  切替装置（流量調整弁）、４０ａ  切替装置（第１四方切替弁、第１三方弁）、４０ｂ  切替装置（第２四方切替弁、第２三方弁）、５０  減圧装置、６０ａ  冷媒配管（第１冷媒配管）、６０ｂ  冷媒配管（第２冷媒配管）、１００  室内機、１００ａ  筐体、１００ｂ  筐体、１０１ａ  接続口、１０１ｂ  接続口、１１０  キッチン、１２０  リビング、２００  室外機、２０１  圧縮機、２０２  四方弁、２０３  室外熱交換器、２０４  室外ファン、２０５  減圧装置、３００  制御装置。
【図１】
2020186908.tif 000003
【図２】
2020186908.tif 000004
【図３】
2020186908.tif 000005
【図４】
2020186908.tif 000006
【図５】
2020186908.tif 000007
【図６】
2020186908.tif 000008
【図７】
2020186908.tif 000009
【図８】
2020186908.tif 000010
【図９】
2020186908.tif 000011
【図１０】
2020186908.tif 000012
【図１１】
2020186908.tif 000013
【図１２】
2020186908.tif 000014
【図１３】
2020186908.tif 000015
【図１４】
2020186908.tif 000016
【図１５】
2020186908.tif 000017
【図１６】
2020186908.tif 000018
【図１７】
2020186908.tif 000019
【図１８】
2020186908.tif 000020
【図１９】
2020186908.tif 000021
【図２０】
2020186908.tif 000022
【図２１】
2020186908.tif 000023
【図２２】
2020186908.tif 000024
【図２３】
2020186908.tif 000025
【図２４】
2020186908.tif 000026
【図２５】
2020186908.tif 000027
【図２６】
2020186908.tif 000028
【図２７】
2020186908.tif 000029
【図２８】
2020186908.tif 000030
【図２９】
2020186908.tif 000031
【図３０】
2020186908.tif 000032
【図３１】
2020186908.tif 000033